(57)【要約】    【課題】  独居老人の安否を正確に確認できるようにしたシステムを提供する。    【解決手段】  遠方にて人の安否を確認することのできるようにした安否確認システムにおいて、安否を確認すべき人の生活空間内の特定の領域(10)における人の有無を検知する人検知手段(11,12)と、人の有無を検知する時間を設定する時間設定手段(21)と、人検知手段の信号を受け、生活空間内の特定の領域に人が存在するときに所定の電話機又は携帯端末(30)の呼び出しを行う通信手段(22)とを備え、安否を確認すべき人が特定の領域に存在すべき時間として設定された第１の設定時間に所定の電話機又は携帯端末に通信手段からの呼び出しがあるときに安否を確認すべき人に異常がないと判断する。【選択図】  図２
2007034880.tif 000002
【特許請求の範囲】
【請求項１】
遠方にて人の安否を確認することのできるようにした安否確認システムにおいて、
安否を確認すべき人の生活空間内の特定の領域における人の有無を検知する人検知手段と、人の有無を検知する時間を設定する時間設定手段と、上記人検知手段の信号を受け、上記生活空間内の特定の領域に人が存在するときに所定の電話機又は携帯端末の呼び出しを行う通信手段とを備え、
上記安否を確認すべき人が上記特定の領域に存在すべき時間として設定された第１の設定時間に上記所定の電話機又は携帯端末に上記通信手段からの呼び出しがあるときに上記安否を確認すべき人に異常がないと判断できるようにしたことを特徴とする安否確認システム。
【請求項２】
上記安否を確認すべき人が上記特定の領域に存在すべき時間として設定された上記第１の設定時間に上記呼び出しがあり、かつ上記安否を確認すべき人が上記特定の領域に存在すべきでない時間として設定された上記第１の設定時間と異なる第２の設定時間に上記呼び出しがないときに、上記安否を確認すべき人に異常がないと判断できるようにした請求項１記載の安否確認システム。
【請求項３】
上記生活空間の特定の領域が、寝室における寝具の上である請求項１又は２記載の安否確認システム。
【請求項４】
上記電話機又は携帯端末に対する着信履歴から、上記通信手段からの呼び出しの有無を確認できるようにした請求項１又は２記載の安否確認システム。
【請求項５】
上記通信手段が、上記設定時間内に上記所定の電話機又は携帯端末の呼び出しを時間間隔をあけて複数回行うようにした請求項１又は２記載の安否確認システム。
【発明の詳細な説明】
【技術分野】
【０００１】
本発明は安否確認システムに関し、特に独居老人の安否を正確に確認できるようにしたシステムに関する。
【背景技術】
【０００２】
近年、核家族化や少子化がすすみ、独り暮らしの老人、いわゆる独居老人が増える傾向にある。この独居老人については子供や兄弟などがたえず安否を確認し、病気やけがなどの異常時には直ちに対処できることが求められる。
【０００３】
従来、独居老人の居間などの生活空間にセンサーを設置し、独居老人の動きが一定の時間検知されないときに独居老人に異常が発生したと判断し、通報するようにしたシステム（特許文献１）、独居老人にセンサーを装着して独居老人の動作を検知し、動作が停止したときに異常と判断して通報するようにしたシステム（特許文献２）、独居老人の居間などの生活空間の明るさを検知し、明るさの変化から異常を判断し、通報するようにしたシステム（特許文献３）、等が提案されている。
【０００４】
【特許文献１】特開昭６３−４４２９８号公報
【特許文献２】特許第３０４９０２５号公報
【特許文献３】特開２００３−２３３８８０号公報
【発明の開示】
【発明が解決しようとする課題】
【０００５】
しかし、人の動きがないこと又は停止したことから、あるいは生活空間の明るさの変化から、独居老人に異常が発生したか否かを正確に判断することは難しい。
【０００６】
本発明はかかる点に鑑み、独居老人の安否を正確に確認できるようにした安否確認システムを提供することを課題とする。
【課題を解決するための手段】
【０００７】
そこで、本発明に係る安否確認システムは、遠方にて人の安否を確認することのできるようにした安否確認システムにおいて、安否を確認すべき人の生活空間内の特定の領域における人の有無を検知する人検知手段と、人の有無を検知する時間を設定する時間設定手段と、上記人検知手段の信号を受け、上記生活空間内の特定の領域に人が存在するときに所定の電話機又は携帯端末の呼び出しを行う通信手段とを備え、上記安否を確認すべき人が上記特定の領域に存在すべき時間として設定された第１の設定時間に上記所定の電話機又は携帯端末に上記通信手段からの呼び出しがあるときに上記安否を確認すべき人に異常がないと判断できるようにしたことを特徴とする。
【０００８】
本発明の特徴の１つは設定した時間に例えば独居老人の生活空間内の特定の領域にその独居老人がいることが検知されると、遠方にいる人の電話機又は携帯端末の呼び出しを行い、その呼び出しがあったときには独居老人に異常がなく、呼び出しがないときには独居老人に異常があったと判断できるようにした点にある。
【０００９】
このように、所定の時間に所定の場所に人がいることを検知して異常がないと判断するようにしたので、人の動きがないこと又は停止したことから、あるいは生活空間の明るさの変化から異常の有無を判断する場合に比して正確に判断できる。
【００１０】
上述のように、所定の時間に所定の場所に人がいることを検知して異常がないと判断すると、その場所で独居老人が倒れている場合にも異常がないと判断してしまうおそれがある。
【００１１】
そこで、安否を確認すべき人がその場所に存在すべき時間と、存在すべきでない時間を設定し、存在すべき設定時間に呼び出しがあり、存在すべきでない設定時間に呼び出しがないという条件が満足されたときに異常がないと判断すると、上述のように独居老人が倒れているような場合を区別でき、異常と判断することができる。
【００１２】
即ち、安否を確認すべき人が特定の領域に存在すべき時間として設定された第１の設定時間に呼び出しがあり、かつ安否を確認すべき人が特定の領域に存在すべきでない時間として設定された第１の設定時間と異なる第２の設定時間に呼び出しがないときに、安否を確認すべき人に異常がないと判断するのが好ましい。
【００１３】
生活空間における特定の領域は安否を確認すべき人がある時間になると必ずいる場所であればよく、例えば早朝におけるトイレや洗面、深夜における就寝などを検知すればよい。即ち、生活空間の特定の領域を、寝室における寝具の上とすることができる。
【００１４】
電話機又は携帯端末の呼び出しは、電話機の所有者が呼び出しを直接確認してもよいが、電話機又は携帯端末に対する着信履歴から確認することができる。
【００１５】
電話機又は携帯端末の呼び出しは１回だけ行ってもよいが、時間をあけて複数回行うのがよい。即ち、通信手段が、設定時間内に所定の電話機又は携帯端末の呼び出しを間隔をあけて複数回行うようにするのがよい。
【００１６】
ここで、人検知手段は赤外線センサー、光センサー、音センサー、振動センサー、温度センサーなど、公知のセンサーを採用することができる。また、１種類のセンサーで人の有無を検知してもよいが、種類の異なる複数のセンサーで人の有無を検知すると高い精度で検知することができる。センサーの設置場所は人の有無を検知できれば特に限定されない。
【００１７】
犬などの動物が室内で飼育されている場合、動物と独居老人を区別し難い。そこで、生活空間に出入口に赤外線センサーなどを設け、生活空間内に動物が存在することを検知しておき、動物の検知と人の有無の検知とを区別するようにするのがよい。
【００１８】
通信手段は電話機や携帯端末を呼び出すことができればよく、例えば公衆回線網やインターネット網を利用する通信機器を用いることができる。
【発明を実施するための最良の形態】
【００１９】
以下、本発明を図面に示す具体例に基づいて詳細に説明する。図１ないし図３は本発明に係る安否確認システムの好ましい実施形態を示す。図において、安否を確認すべき独居老人の寝室には音センサー（人検知手段）１１及び赤外線センサー（人検知手段）１２が設けられ、ベッド１０の上方の人の有無を検知し、音センサー１１及び赤外線センサー１２の信号はマイクロコンピュータ２０に入力されている。
【００２０】
このマイクロコンピュータ２０は機能的には時間設定手段２１及び通信手段２２を有し、時間設定手段２１はベッド１０上に独居老人が存在すべき時間を設定するようになっている。
【００２１】
また、通信手段２２は音センサー１１及び赤外線センサー１２の信号を受け、時間設定手段２１で設定した時間において独居老人がベッド１０の上に寝ている時には予め登録しておいた電話番号の携帯電話３０を公衆回線網３１を使って呼び出すという処理を適切な時間間隔、例えば３０分の間隔をあけて繰り返すようになっている。
【００２２】
また、通信手段２２は独居老人が緊急スイッチ２２を押すと、設定時間に関係なく携帯電話３０を呼び出し、又マイクロフォン２４を使って独居老人の声を録音し、これを携帯電話３０に送るようになっている。
【００２３】
例えば、子供が遠く離れた場所で生活する独居老人の安否を確認する場合、本例のシステムを独居老人の寝室に設置し、音センサー１１をベッド１０に、赤外線センサー１２を天井にセットし、時間設定手段２１に指示ａを与え、独居老人の存在を検知すべき時間を例えば早朝の４時〜６時に設定し、システムを作動させる。
【００２４】
早朝の４時〜６時になると、マイクロコンピュータ２０は音センサー１１及び赤外線センサー１２の信号を読み込む（ステップＳ１０〜ステップＳ１１）。
【００２５】
早朝の４時〜６時には独居老身はベッド１０上で就寝しているのが普通であるので、独居老人の存在は音センサー１１及び赤外線センサー１２で検知され、マイクロコンピュータ２０は予め登録しておいた携帯電話３０を呼び出す一方（ステップＳ１３）、ベッド１０上に独居老人がいない場合には携帯電話３０の呼び出しを行わない。
【００２６】
このような処理を設定した時間間隔、例えば３０分毎に複数回（ｎ回）繰り返す。携帯電話３０の持ち主は自分の携帯電話３０の着信履歴から呼び出しがあったか否かを確認することができる。
【００２７】
着信履歴から呼び出しがあったことが分かると、ベッド１０上にいるべき早朝の時間帯に独居老人がベッド１０上にいたことが分かり、独居老人に異常がないと確認することができ、他方でベッド１０上にいないときには何らかの異常があったと判断することができ、迅速に対応をとることができる。
【００２８】
また、独居老人が緊急スイッチ２３を操作すると、マイクロコンピュータ２０が設定時間に関係なく携帯電話３０を呼び出すので、携帯電話３０の持ち主は迅速に対応をとることができる。
【００２９】
また、マイクロコンピュータ２０はマイクロフォン２４によって独居老人の声を録音できるので、携帯電話３０を呼び出して録音した音声を携帯電話３０に通信することができ、これによっても携帯電話３０の持ち主は迅速に対応をとることができる。
【００３０】
また、上記の例ではベッド１０上に独居老人がいる時間のみを例えば早朝の４時〜６時と設定したが、いない時間も例えば朝の９時〜１０時、及び／又は夕方の４時〜６時と設定しておき、朝の９時〜１０時及び／又は夕方の４時〜６時にベッド１０上に独居老人が寝ていると、携帯電話３０に呼び出しが行われ、その着信履歴から本来いない時間帯にベッド１０で寝ていることから、独居老身に何らかの異常が発生したと判断することができる。
【００３１】
このように、安否を確認すべき人が特定の領域に存在すべき時間として設定された第１の設定時間（上記の例では早朝の４時〜６時）に電話又は携帯電話の呼び出しがあり、かつ安否を確認すべき人が特定の領域に存在すべきでない時間として設定された第１の設定時間と異なる第２の設定時間（上記の例では朝の９時〜１０時、夕方の４時〜６時）に電話又は携帯電話の呼び出しがないという２条件を満たしたときに、安否を確認すべき人に異常がないと判断するようにすると、より正確な安否確認を行うことができる。
【００３２】
なお、上記の例ではシステムをマイクロコンピュータ２０で構成したが、シーケンサで構成することもできる。
【図面の簡単な説明】
【００３３】
【図１】本発明に係る安否確認システムの好ましい実施形態における音センサー及び赤外線センサーの設置例を示す図である。
【図２】上記実施形態におけるシステム構成を示す図である。
【図３】上記実施形態における処理のフローチャートを示す図である。
【符号の説明】
【００３４】
１０      ベッド（特定領域）
１１      音センサー（人検知手段）
１２      赤外線センサー（人検知手段）
２０      マイクロコンピュータ
２１      時間設定手段
２２      通信手段
３０      携帯電話
３１      公衆回線網
【図１】
2007034880.tif 000003
【図２】
2007034880.tif 000004
【図３】
2007034880.tif 000005